(57)【要約】【課題】  使用される水の種類や湯の用途に応じて電気ポットの機能を自動的にかつ最適に制御する。【解決手段】  例えば内容器と、内容器内の水を加熱する加熱手段と、内容器内の水の温度を検出する温度センサと、内容器内の水を加熱沸とうさせて湯沸しを行った後に所定の温度に保温する加熱制御手段とを備えてなる電気ポットにおいて、湯を必要とする時に湯吐出口に対応せしめられる用途物に対して当該用途物が必要とする湯の温度等を示す情報を記憶させた電子タグを設ける一方、電気ポット本体側に同電子タグからの必要な湯の温度等を示す情報を読み込んで上記吐出する湯の温度等を制御する湯温制御手段等を設けるようにした。【選択図】        図８
2005177145.tif 000002
【特許請求の範囲】
【請求項１】
内容器と、内容器内の水を加熱する加熱手段と、内容器内の水の温度を検出する温度センサと、内容器内の水を加熱沸とうさせて湯沸しを行った後に所定の温度に保温する加熱制御手段とを備えてなる電気ポットにおいて、湯を必要とする時に湯吐出口に対応せしめられる用途物に対して当該用途物が必要とする湯の温度を示す情報を記憶させた電子タグを設ける一方、電気ポット本体側に同電子タグからの必要な湯の温度を示す情報を読み込んで上記吐出する湯の温度を制御する湯温制御手段を設けたことを特徴とする電気ポット。
【請求項２】
内容器と、内容器内の水を加熱する加熱手段と、内容器内の水の温度を検出する温度センサと、内容器内の水を加熱沸とうさせて湯沸しを行った後に所定の温度に保温する加熱制御手段とを備えてなる電気ポットにおいて、湯を必要とする時に湯吐出口に対応せしめられる用途物に対して当該用途物に適した湯の吐出条件を示す情報を記憶させた電子タグを設ける一方、電気ポット本体側に同電子タグからの湯の吐出条件を示す情報を読み込んで上記吐出する湯の吐出状態を制御する湯吐出状態制御手段を設けたことを特徴とする電気ポット。
【請求項３】
内容器と、内容器内の水を加熱する加熱手段と、内容器内の水の温度を検出する温度センサと、内容器内の水を加熱沸とうさせて湯沸しを行った後に所定の温度に保温する加熱制御手段とを備えてなる電気ポットにおいて、湯を必要とする時に湯吐出口に対応せしめられる用途物に対して、当該用途物が必要とする湯の量を示す情報を記憶させた電子タグを設ける一方、電気ポット本体側に同電子タグからの必要な湯量を示す情報を読み込んで上記吐出する湯の量を制御する湯量制御手段を設けたことを特徴とする電気ポット。
【請求項４】
内容器と、内容器内の水を加熱する加熱手段と、内容器内の水の温度を検出する温度センサと、内容器内の水を加熱沸とうさせて湯沸しを行った後に所定の温度に保温する加熱制御手段とを備えてなる電気ポットにおいて、使用される水の容器側に当該水の種類を示す情報を記憶させた電子タグを設ける一方、電気ポット本体側に同電子タグからの水の種類を示す情報を読み込んで湯沸し状態を可変制御する湯沸し状態可変制御手段を設けたことを特徴とする電気ポット。
【請求項５】
電子タグは、当該用途物の製品番号確認用の識別タグを兼ねていることを特徴とする請求項１，２，３又は４記載の電気ポット。
【発明の詳細な説明】
【技術分野】
【０００１】
この出願の発明は、使用される水の種類や湯の用途に応じて電気ポットの機能が、自動的に、かつ適切に制御されるようになった電気ポットに関するものである。
【背景技術】
【０００２】
最近の電気ポットは、例えば湯沸し、カルキ抜き、通常保温、省エネ保温、保温温度選択、通常給湯、計量給湯、再沸騰などの各種の機能を備えて構成されている。
【０００３】
このような各種の機能は、使用される水の種類やお湯の用途に応じて、適切に制御されることが好ましい。例えば「湯沸し」の場合、使用される水が水道水の場合とミネラルウォータの場合とでは「カルキ抜き」が必要であるか、必要でないかの相異がある。また、ある温度で「保温」中の場合にも、例えばコーヒーや紅茶を入れる場合、緑茶を入れる場合、ラーメンをつくる場合などでは、それぞれ適した湯の温度が異なる。またできるだけ速く多くの湯を必要とする場合がある反面、ドリップコーヒーを入れる場合などには、吐出量を絞った方がよい。
【０００４】
従来の電気ポットでは、このような問題に対し適切な対応が取られていない。湯温の場合、２〜３段階程度の専用の保温温度選択スイッチを設けて選択できるようにしたものが見受けられるが、これとてもユーザーによるマニュアル的な対応が取られているにすぎず、事前のスイッチ操作が必要である。
【０００５】
この出願の発明は、以上のような事情に基いてなされたもので、使用される水の種類や湯の用途を水溶器又は用途物側に設けた電子タグを用いて電気ポット本体側のマイコン制御部に自動的に入力し、それに対応した適切な機能制御を自動的に行えるようにした電気ポットを提供することを目的とするものである。
【発明の開示】
【課題を解決するための手段】
【０００６】
（１）  第１の課題解決手段
この発明の第１の課題解決手段は、内容器と、内容器内の水を加熱する加熱手段と、内容器内の水の温度を検出する温度センサと、内容器内の水を加熱沸とうさせて湯沸しを行った後に所定の温度に保温する加熱制御手段とを備えてなる電気ポットにおいて、湯を必要とする時に湯注出口に対応せしめられる用途物に対して当該用途物が必要とする湯の温度を示す情報を記憶させた電子タグを設ける一方、電気ポット本体側に同電子タグからの必要な湯の温度を示す情報を読み込んで上記吐出する湯の温度を制御する湯温制御手段を設けたことを特徴としている。
【０００７】
このような構成の場合、例えばコーヒー、紅茶を入れる場合や緑茶を入れる場合、またラーメンをつくる場合などに、それぞれのパッケージ部分（例えばドリップコーヒーのフィルターカラー、同フィルターカラーの把手部、ティーパックのティーパッケージ、同パッケージの紐部、茶袋、カップラーメンの発泡スチロールカップなど）に対し、メーカーサイドで予じめ最適な湯の温度を示す情報を記憶させた電子タグを設けて置くようにすると、ユーザーが、必要に応じ電気ポット本体側の電子タグからのタグ情報読み込み機能を備えた湯温制御手段に対して、同パッケージの電子タグ部分を対応させるだけで、最適な湯温情報が湯温制御手段側に読み込まれて、その用途に応じた最適な湯温に調節され、同最適な温度の湯が吐出されるようになる。
【０００８】
（２）  第２の課題解決手段
この発明の第２の課題解決手段は、内容器と、内容器内の水を加熱する加熱手段と、内容器内の水の温度を検出する温度センサと、内容器内の水を加熱沸とうさせて湯沸しを行った後に所定の温度に保温する加熱制御手段とを備えてなる電気ポットにおいて、湯を必要とする時に湯吐出口に対応せしめられる用途物に対して当該用途物に適した湯の吐出条件を示す情報を記憶させた電子タグを設ける一方、電気ポット本体側に同電子タグからの湯の吐出条件を示す情報を読み込んで上記吐出する湯の吐出状態を制御する湯吐出状態制御手段を設けたことを特徴としている。
【０００９】
このような構成の場合、例えばコーヒー、紅茶を入れる場合や緑茶を入れる場合、またラーメンをつくる場合などに、それぞれのパッケージ部分（例えばドリップコーヒーのフィルターカラー、同フィルターカラーの把手部、ティーパックのティーパッケージ、同パッケージの紐部、茶袋、カップラーメンの発泡スチロールカップなど）に対し、メーカーサイドで予じめ最適な湯の吐出条件を示す情報を記憶させた電子タグを設けて置くようにすると、実際の湯の注出に際し、ユーザーが電気ポット本体側の電子タグからのタグ情報読み込み機能を備えた湯吐出状態制御手段に対して同パッケージ部分を対応させるだけで、最適な湯の吐出条件が湯吐出状態制御手段側に読み込まれて用途に応じた最適な湯の吐出条件に調節され、同最適な吐出状態で湯が吐出されるようになる。
【００１０】
例えばフィルター部の開口容積が小さく、また本来的に少量の湯で、じっくりとコーヒー成分を抽出することが好ましいドリップコーヒーを入れる時などの場合、最初に少量、途中で若干多めに、そして最後は少なめにと言った複数の段階のパターンで湯を注ぐことが好ましいが、以上のような構成によると、このような注出パータンの実現も容易である。
【００１１】
もちろん、ティーパックモード、緑茶モードなどの各種の湯吐出モードを任意に形成することもできる。
【００１２】
（３）  第３の課題解決手段
この発明の第３の課題解決手段は、内容器と、内容器内の水を加熱する加熱手段と、内容器内の水の温度を検出する温度センサと、内容器内の水を加熱沸とうさせて湯沸しを行った後に所定の温度に保温する加熱制御手段とを備えてなる電気ポットにおいて、湯を必要とする時に湯吐出口に対応せしめられる用途物に対して、当該用途物が必要とする湯の量を示す情報を記憶させた電子タグを設ける一方、電気ポット本体側に同電子タグからの必要な湯量を示す情報を読み込んで上記吐出する湯の量を制御する湯量制御手段を設けたことを特徴としている。
【００１３】
このような構成の場合、例えばコーヒー、紅茶を入れる場合や緑茶を入れる場合に使用される各容器（例えばコーヒーカップ、紅茶カップ、湯呑み等）に、またラーメンをつくる場合には当該ラーメンの容器（発泡スチロールカップなど）に対し、メーカーサイドで予じめ最適な湯の量を示す情報を記憶させた電子タグを設けて置くようにすると、ユーザーが電気ポット本体側の電子タグからのタグ情報読み込み機能を備えた湯量制御手段に対して当該各容器部分を対応させるだけで、同容器に対応した最適な湯量情報が湯量制御手段側に読み込まれて、自動的に容器に応じた最適な湯量に調節され、同最適な量の湯が吐出されるようになる。
【００１４】
（４）  第４の課題解決手段
この発明の第４の課題解決手段は、内容器と、内容器内の水を加熱する加熱手段と、内容器内の水の温度を検出する温度センサと、内容器内の水を加熱沸とうさせて湯沸しを行った後に所定の温度に保温する加熱制御手段とを備えてなる電気ポットにおいて、使用される水の容器側に当該水の種類を記憶させた電子タグを設ける一方、電気ポット本体側に同電子タグからの水の種類を示す情報を読み込んで湯沸し状態を可変制御する湯沸し状態可変制御手段を設けたことを特徴としている。
【００１５】
このような構成の場合、例えばペットボトルなど使用される水の容器側に設けられている電子タグからの当該水の種類を示す情報を、電気ポット本体側の湯沸し状態可変制御手段に読み込んで、例えばミネラルウォータの場合には湯沸し沸とう後のカルキ抜きを行わないなど、水の種類に応じて適切に湯沸し状態を可変制御することができる。
【００１６】
（５）  第５の課題解決手段
この発明の第５の課題解決手段は、上記第１，第２，第３又は第４の課題解決手段の構成において、電子タグは、当該用途物の製品番号確認用の識別タグを兼ねていることを特徴としている。
【００１７】
このような構成によれば、水の種類や湯の用途を判定するために別途専用の電子タグを設ける必要がなく、低コストになる。
【発明の効果】
【００１８】
以上の結果、本願発明によると、使用される各種の湯の用途について、事前に使用者が温度調節操作等各種のスイッチ操作をする必要なく、全て自動的に対応して、当該用途に応じた湯温、湯量、吐出状態の制御、また使用される水の種類に応じた湯沸し状態の制御が、それぞれ適切に実現される。
【発明を実施するための最良の形態】
【００１９】
以下、本願発明を実施するための幾つかの最良の実施の形態について説明する。
【００２０】
（最良の実施の形態１）
先ず図１〜図７は、本願発明を実施するための最良の実施の形態１に係る電気ポットの本体および各部の構成と作用を示している。
【００２１】
（電気ポット本体部の構成）
すなわち、この電気ポットは、先ず図１および図２に示すように、貯湯用の内容器３を備えた容器本体１と、該容器本体１の上部側開口部を開閉する蓋体２と、上記内容器３を湯沸し時において加熱する加熱手段である湯沸しヒータ４Ａと、上記内容器３を保温時において加熱する加熱手段である保温ヒータ４Ｂと、上記内容器３内の湯を外部へ給湯注出するための給湯通路（湯注出通路）５と、該給湯通路５の途中に設けられた注出流量計測用の流量センサ８０と、ＡＣ電源が接続されている状態において上記給湯通路５を介して上記内容器３内の湯を外部に注出する電動式の給湯ポンプ６と、ＡＣ電源が接続されていない状態において上記給湯通路５を介して内容器３内の湯を外部に送り出すエア式の手動給湯ポンプ１８とを備えて構成されている。
【００２２】
上記容器本体１は、外側面部を構成する合成樹脂製の筒状の外ケース７と、内側面部を構成する上記内容器３と、上記外ケース７と内容器３とを上部側で一体に結合固定する合成樹脂製の環状の肩部材８と、底面部を構成する合成樹脂製の皿状の底部材９とからなっている。
【００２３】
上記内容器３は、ステンレス製の有底円筒形状の内筒１０と、同じくステンレス製の円筒形状の外筒１１との間に真空断熱空間を設けた保温性能の高い真空二重壁構造の断熱構造体からなっており、その底部には、外周部を除いて上記内筒１０の底面部のみにより構成された１枚板部３ａが形成されている。該１枚板部３ａは若干上方に高く突出して成形されていて、その下面側には、上記湯沸しヒータ４Ａと保温ヒータ４Ｂ（例えば雲母板にワット数の異なる２組の発熱体を保持させたマイカヒータよりなる）が取り付けられている。
【００２４】
上記内容器３の上端部には、上記内筒１０側の上端部を中心軸方向に向けて絞り加工したヒートキープ構造の小径の給水口３ｂが形成されている。また符号１２は、上記内容器３の温度（換言すれば、内容器３内の湯の温度）を検出する湯温検出手段として作用する底センサ（湯温センサ）であり、サーミスタよりなっている。さらに、符号１３は上記内容器３の満水位を表示する凸状の満水位表示部である。
【００２５】
上記蓋体２は、合成樹脂製の上板１４と該上板１４に対して外周縁が結合された合成樹脂製の下板１５とからなっており、上記肩部材８の後部に設けられたヒンジ受け１６に対してヒンジピン１７を介して上下方向に開閉自在且つ着脱自在に支持されている。
【００２６】
この蓋体２には、ＡＣ電源が接続されていない状態でも上記給湯通路５を介して外部への給湯が可能なように、手動押圧操作により圧縮作動されるエア式の手動給湯ポンプ１８が配設されている。該手動給湯ポンプ１８は、上記蓋体２の略中央部に形成された円筒部１９内に配設されたベローズタイプのものとされており、押圧カバー２０Ａと押圧板２０Ｂを介して蛇腹構造のベローズ２０Ｃを下方に押圧操作することにより、ベローズ２０Ｃ内の加圧空気２０Ｄが空気吹込口を介して内容器３内に吹き込まれ、該加圧空気の吹き込み圧力によって内容器３内のお湯が給湯通路５を介して外部へ押し出されるようになっている。また、２０Ｅはベローズ２０Ｃの上方への復元バネ、１５Ａは下板１５側のベローズ支持板である。なお、符号２１ａ〜２１ｄは、下方から上方に向けて相互に連通した蓋体２の蒸気排出通路、２２は同蒸気排出通路２１ａ〜２１ｄの蒸気導出部２１ａ側途中に配設された転倒止水弁である。
【００２７】
上記蓋体２における下板１５の下面には、金属製の内カバー部材２３が固定されており、該内カバー部材２３の外周縁には、上記蓋体２の閉蓋時において上記内容器３の給水口３ｂの上面に圧接される耐熱ラバー製のシールパッキン２４が設けられている。
【００２８】
上記給湯通路５の上流端側である上記内容器３の下部位置には、内容器３側湯導入筒６ａ、給湯ポンプ側湯吸入口６ｂを介して例えば軸シール型の直流電動式の給湯ポンプ６が配設されており、この給湯通路５においては上記湯導入筒６ａを介して湯吸込口６ｂより吸入された湯が当該電動式給湯ポンプ６のポンピング作用により、その吐出口６ｃから吐出され、同給湯通路５の直管部５ｂを経て、上記流量センサ８０内の流量検出通路を通り、転倒止水弁側連結パイプ５ｃから外部への湯注出口（湯吐出口）５ｄに導かれる。
【００２９】
一方、符号３５は、後述する各種スイッチ類の操作面や液晶表示部の表示面を備えた操作パネル部、５１ａは、マイコン制御部６０や以下に述べる各種スイッチ類３８〜４１，４２，４３、液晶表示装置（駆動部）等を備えたマイコン基板、５１は、液晶表示部４７の支持部材、５０は、上記電動式給湯ポンプ６の駆動回路や湯沸しヒータ４Ａ、保温ヒータ４Ｂの加熱制御回路、安定化直流電源回路等を備えた電源基板である。
【００３０】
上記操作パネル部３５には、そのＯＮ操作によって上記給湯ポンプ６の駆動モータ６１に電源を入れて駆動する給湯スイッチ３８、同給湯スイッチ３８のＯＮ操作をタイマーロックし、ＯＮ操作によって同ロック状態を解除する給湯ロック解除スイッチ３９、再沸騰／保温選択スイッチ４０、おやすみタイマースイッチ４１、定量給湯モード選択時における給湯量設定用アップダウンスイッチ４２，４３、再沸騰表示用ＬＥＤ４４、保温動作表示用ＬＥＤ４５、給湯ロック解除表示用ＬＥＤ４６、液晶表示部４７等が設けられている。
【００３１】
上記液晶表示部４７には、例えば時刻／時間／湯温／作動状態等兼用表示部４７ａ、保温設定温度表示部４７ｂ、まほうびん保温表示部４７ｃが設けられており、各種の便利な情報表示がなされるようになっている。
【００３２】
また、この最良の実施の形態１の場合、例えば図１に示すように、上記外ケース７の内側には、次に述べるドリップコーヒーのフィルタカラー７２の本体７２ｂの前面側又は（及び）使用されるコーヒーカップ７１の本体部７１ｂの前面側（又は把手部７２ａ部分でもよい）に貼着されている電子タグ５０Ａ，５０Ｂからのタグ情報（湯温、湯吐出条件、湯量）を読み出して、後述するマイコン制御ユニット３２に転送するタグ情報送受信制御ユニット６０が設けられている。
【００３３】
電子タグ５０Ａには、当該ドリップコーヒーを最も美味しく入れるために最適な湯温と湯の吐出条件を示すデジタルデータ情報がメモリ部にメモリされている一方、電子タグ５０Ｂには、当該コーヒーカップ７１に入る最適な湯量（カップの容量）を示すデジタルデータ情報がメモリ部にメモリされている。これら各電子タグ５０Ａ，５０Ｂのデジタルデータは、上記電気ポット本体１の本体ケース７側のタグ情報送受信制御ユニット６０からのタグ情報読み出しコマンド信号に応じて読み出されるようになっている。そして、該読み出されたデジタルデータは、最終的にマイコン制御ユニット３２に転送されて、その制御機能設定用のメモリ部に入力される。
【００３４】
ドリップ時、上述したドリップコーヒーのフィルタカラー７２とコーヒーカップ７１とは、例えば図３に示されるように、上下に積み重ねられた関係になり、フィルタカラー７２両側の把手部７２ａ，７２ａが上記コーヒーカップ７１の把手７１ａを中央にした時の左右両側にくるようにし、かつ電子タグ５０Ａがコーヒーカップ７１の把手７１ａと反対の向う正面側に位置するように位置設定して、図１に示すように電気ポット本体の湯注出口５ｄ下方に対応せしめられる。
【００３５】
そして、この状態において、上記電子タグ５０Ａ，５０Ｂとタグ情報送受信制御ユニット６０が図１および図６のように相互通信可能に対応して、各タグ情報が読み出されてマイコン制御ユニット３２に入力される。そして、マイコン制御ユニット３２により、上述した給湯スイッチ３８が押されると、後に述べるドリップコーヒーに最適な湯温の湯が、最適な吐出状態で、コーヒーカップ７１の大きさに応じた最適な量だけ注出されるように、上述した給湯ポンプ６の駆動状態が制御される。
【００３６】
なお、上述の電子タグ５０Ａ，５０Ｂは、例えば図４および図５に示すごとくフィルタカラー７２やコーヒーカップ７１に貼着しやすいようにシールＳａ，Ｓｂを介して貼着されるようになっている。
【００３７】
また、貼着以外の手段として、対象となる位置に埋込むようにしてもよい。
【００３８】
また、電子タグ５０Ａは、フィルタカラー７２の把手部７２ａその他の任意の適所に設けることができる。
【００３９】
（制御装置部の構成）
次に図６は、上記構成の電気ポット本体における制御装置の回路構成を示すブロック図である。
【００４０】
図６中、符号５２はＡＣ電源、５３は例えば平滑コンデンサおよび電源ＩＣよりなり、マイコン制御ユニット３２および加熱制御部５４、ポンプ電源部５５等に直流電源を供給する直流安定化電源部、また５４は湯沸しヒータ４Ａおよび保温ヒータ４ＢのＯＮ，ＯＦＦ制御用の加熱制御部、４Ａ，４Ｂは上述した湯沸しヒータ４Ａおよび保温ヒータ４Ｂよりなる加熱手段、３８〜４３は上述の給湯スイッチ他のスイッチ、６は上述の直流型の電動給湯ポンプである。
【００４１】
上記湯沸しヒータ４Ａは、例えば上記マイコン制御ユニット３２から、上記加熱制御部５４に湯沸しヒータＯＮ信号が出力されると、例えば図示しないトランジスタを介して電源リレーを作動させ、それに対応して電源スイッチがＯＮになることにより、駆動される。
【００４２】
また、上記保温ヒータ４Ｂは、上記マイコン制御ユニット３２から、上記加熱制御部５４に保温ヒータＯＮ信号が出力されると、例えば図示しないトランジスタがＯＮになることにより、トライアックを駆動させて駆動される。
【００４３】
また、上記マイコン制御ユニット３２には、さらにタグ情報送受信制御ユニット６０、液晶表示部４７、再沸騰表示用ＬＥＤ４４、保温動作表示用ＬＥＤ４５、給湯ロック解除表示用ＬＥＤ４６、湯沸し完了等報知手段６４等の各種ＬＥＤ表示部や給湯スイッチ３８、再沸騰／保温選択スイッチ４０、給湯ロック解除スイッチ３９、おやすみタイマースイッチ４１等の各種操作部や底センサ（サーミスタ）１２、流量センサ８０などの各種センサー部等が、各々図示しない入出力ポートを介して接続されている。
【００４４】
そして、以上の電気ポットでは、湯沸し時には上記湯沸しヒータ４Ａを使用して高加熱出力で速やかに沸とう状態まで加熱した後に、同沸とう状態を継続して所定の時間内カルキ抜きを行ない（但し、ミネラルウォータの場合には、カルキ抜きを省略する）、その後、ブザー音による沸とう報知（湯沸し完了報知）を行って湯沸しヒータ４ＡをＯＦＦにし、その後、保温温度選択スイッチにより選択されている所定の保温温度（例えば９８℃、９０℃）での保温工程に移行する。また、湯沸し完了後、所定の保温温度（例えば９８℃、９０℃）での保温状態において、再沸とうスイッチ４０の再沸とうキーが押された場合には再沸とう加熱を行ない、所定の沸とう温度に達した時（再沸とう完了時）にも、同様の沸とう報知を行うようになっている。
【００４５】
ところで、本実施の形態の場合のように、一般にフィルター部の開口容積が小さく、また本来的に少量の湯で、じっくりとコーヒー成分を抽出することが好ましいドリップコーヒーを入れる時などの場合、湯の出し方としては、最初に少量、途中で若干多めに、そして最後は少なめにと言った複数の段階のパターンで湯を注ぐことが好ましいが、以上のような構成によると、このような注出パータンの実現も容易となる。
【００４６】
すなわち、本実施の形態の構成では、上述のようにドリップコーヒーのフィルタカラー７２側に当該用途物がドリップコーヒーであること、そして、それに対応した最適な湯温と上記パターンの湯の吐出条件を示す情報を記憶させた電子タグ５０Ａを、またコーヒーカップ７１には、当該コーヒーカップ７１に入る最適な湯量（カップの容量）を示すデジタルデータ情報をメモリした電子タグ５０Ｂをそれぞれ設ける一方、電気ポット本体１側には同電子タグ５０Ａ，５０Ｂからの上記各情報を読み込むタグ情報送受信制御ユニット６０が設けられている。
【００４７】
そして、上記図１のようにコーヒーカップ７１およびドリップコーヒーのフィルタカラー７２が適切にセットされた時に、上記電気ポット本体１側のタグ情報送受信制御ユニット６０が上記電子タグ５０Ａ，５０Ｂからの各情報（湯温および湯の吐出条件、湯量）を読み込んで、マイコン制御ユニット３２に転送入力する。そして、マイコン制御ユニット３２は、該入力された湯温および吐出条件並びに湯量データに基いて、その湯温、吐出パターン、湯量を自動的に設定し、上述したドリップコーヒーを入れるのに最適な吐出パターンで給湯ポンプ６を駆動する。
【００４８】
上記電子タグ５０Ａ，５０Ｂは、例えば極めて小さなＩＣチップにより製品識別機能を兼ねたＲＦＩＤタグ（無線周波数識別タグ）として構成されており、例えば図７に詳細に示すように、電源回路５０ｂと、無線周波数（ＲＦ）回路（ワイヤレス送受信回路）５０ｃと、変調回路５０ｄと、復調回路５０ｅと、ＣＰＵ５０ｆと、このＣＰＵ５０ｆに対して入出力可能に接続され、上述した湯温、湯の吐出条件、湯量等給湯機能情報を示すデータが記憶されているメモリ５０ａを有して構成されている。
【００４９】
電源回路５０ｂは、蓄電池としてのコンデンサ（図示せず）を内蔵し、このコンデンサはコイル型の第１の送受信アンテナ５１とともに共振回路を形成している。このコンデンサには、第１の送受信アンテナ５１が予じめ設定されている特定の周波数の電波（上記共振回路が共振する特定周波数）を受信したときに、その相互誘導作用で生じる電力が充電されるようになっている。そして、電源回路５０ｂは、このコンデンサからの電力を整流し安定化してＣＰＵ５０ｆに供給し、当該電子タグ５０の各回路部を活性化する。また、上記第１の送受信アンテナ５１は、例えば複数枚の軟磁性アモルファス箔又は複数枚の金属箔を耐熱性樹脂又は耐熱性無機材料からなる絶縁層を介して積層してなる磁芯部材５１ａの外周に、高強度の被覆導線５１ｂを巻成した耐久性の高いものに構成されている。
【００５０】
一方、上記メモリ５０ａは、例えばＲＯＭ、ＲＡＭおよびＥＥＰＲＯＭを含み、ＣＰＵ５０ｆの制御の下で、後述するタグ情報送受信制御ユニット６０からの送信電波のデジタル・データ通信による読み出しコマンドに応じて、上記メモリ５０ａに記憶されている給湯機能情報データの読出しを行うとともに、必要に応じ同タグ情報送受信制御ユニット６０からの書き込みコマンドに応じて何らかの必要なデータの書き込みが行われる。
【００５１】
以上のように、ＣＰＵ５０ｆ、メモリ５０ａ、ＲＦ回路５０ｃ、給湯機能情報データを記憶したメモリ５０ａ、およびワイヤレス送信機能等を有して構成された電子タグ５０Ａ，５０Ｂは、それに対応して、上記電気ポット本体１側に設けられたタグ情報送受信制御ユニット６０とワイヤレスで送受信可能に構成されている。
【００５２】
該タグ情報送受信制御ユニット６０は、上記対応する電子タグ５０Ａ，５０Ｂ側に記憶された各給湯機能情報を読み出して、上述したマイコン基板６Ｂ側の炊飯又は保温制御用のマイコン制御ユニット３２に転送して入力し、また電子タグ５０側のメモリ５０ａ内に必要な情報を書き込むように構成されており、上記第１の送受信アンテナ５１と相互に高い指向性を有して結合されていて、相互誘導作用する同じくコイル型の第２の送受信アンテナ６１が受信した電波のデジタルデータを処理するデータ処理回路部を有する。
【００５３】
すなわち、第２の送受信アンテナ６１は、上記電子タグ５０側第１の送受信アンテナ５１に対してのみ所定の周波数の電波を送信し、かつ電子タグ５０側第１の送受信アンテナ５１からの所定の周波数の電波のみを受信するように構成されている。また、データ処理回路部は上記第２の送受信アンテナ６１に接続されており、バッテリを内蔵する電源回路６０ａと、無線周波数（ＲＦ）回路（ワイヤレス送受信回路）６０ｂと、変調回路６０ｃと、復調回路６０ｄと、ＣＰＵ６０ｅと、このＣＰＵ６０ｅに対して入出力可能に接続され、上記電子タグ５０のメモリ５０ａから読み取った情報を記憶するメモリ６０ｆとを有して構成されている。
【００５４】
上記電子タグ５０中のメモリ５０ａに記憶された情報の読み出しは、上記タグ情報送受信制御ユニット６０の第２の送受信アンテナ６１から上記電子タグ５０側の第１の送受信アンテナ５１に向けて２値化されたデジタル・データ信号を特定周波数の電波に乗せて送信する。このデジタル信号は、変調回路６０ｃで変調を受け、ＲＦ回路６０ｂで増幅されて第２の送受信アンテナ６１から送信される。該送信された電波は、電子タグ５０側第１の送受信アンテナ５１により受信され、この受信時のアンテナコイル間の相互誘導作用により電源回路５０ｂの蓄電用コンデンサに電力が充電される。そして、それにより電源回路５０ｂは動作電力をＣＰＵ５０ｆに供給し、電子タグ５０の各回路部を活性化して、ＲＦ回路５０ｃを作動させる。
【００５５】
そして、ＣＰＵ６０ｅは、この受信信号（読み出しコマンド信号）に基づいて、上記メモリ５０ａに記憶されている給湯機能情報を送信する。この情報の送信は、上記同様に２値化されたデジタル・データ信号を変調回路５０ｄで変調した後、ＲＦ回路５０ｃで増幅することによって第１の送受信アンテナ５１から送信することにより行われる。このようにして送信されたデジタル・データは、タグ情報送受信制御ユニット６０側第２の送受信アンテナ６１で受信され、上記データ処理回路部でデータ処理されて、上述のマイコン制御ユニット３２に転送される。
【００５６】
また、上記ＣＰＵ６０ｅの入力ゲートには、さらに汎用的な入力装置（入力回路）６０ｇが接続されており、所定の外部入力手段（製品検査ラインにおけるパソコン等）からの必要な追加情報が、同入力装置６０ｇを介して入力され、上記ＣＰＵ６０ｅ、ＲＦ回路６０ｂを通して上記電子タグ５０側のメモリ５０ａに書き込まれるようになっている。
【００５７】
（ドリップコーヒーを入れるのに最適な湯吐出状態および湯吐出量の制御）
今例えば、上記マイコン制御ユニット３２による湯の吐出状態および吐出湯量の制御方法について、その内容を示すと、図８のフローチャートのようになる（湯温については省略）。
【００５８】
すなわち、先ずステップＳ1で上記タグ情報送受信制御ユニット６０から上記電気ポット本体１の電子タグ５０Ａ，５０Ｂ側に電子タグ情報読出しコマンド信号を出して、同電子タグ５０Ａからのタグ情報を読み込む。そして、次にステップＳ2に進み、先ずドリップコーヒーであることを示すドリップ情報が得られたか否かを判定し、ドリップ情報が得られたＹＥＳの時は、さらにステップＳ3に進んで、さらにカップ量情報があるか否かを判定する。
【００５９】
その結果、ＹＥＳと判定されると、ステップＳ4に進んで、上述したドリップ給湯モード、すなわち「最初は少なく、途中で多めに、そして最後に少ない」湯吐出パターンにセットするとともに、ステップＳ5で使用されているコーヒーカップ７１の大きさに応じた最適な給湯量（流量センサ８０で計測し、フィードバック制御できる）にセットした上でステップＳ6に進む。
【００６０】
そして、ステップＳ6で、ドリップ給湯モードおよび計量給湯モードでの給湯ポンプ制御を実行し、ステップＳ7で設定給湯量に達したことが判定されると、同給湯制御を終了する。
【００６１】
一方、上記ステップＳ3の判定でＮＯ、すなわちドリップ情報はあったがカップ量情報がなかった場合には、ステップＳ8の方に移って上述のドリップ給湯モードのみにセットし、続くステップＳ9で計量給湯機能のない給湯スイッチ３８のＯＮ操作による通常の給湯制御を実行する。
【００６２】
他方、上記ステップＳ2でドリップ情報が得られなかったＮＯの時には、ステップＳ10に移ってカップ量情報があったか否かを判定し、ドリップ情報はなかったが少なくともカップ量情報があった場合には、ステップＳ11に進んで、そのコーヒーカップ容量に応じて給湯量をセットし、ステップＳ12で流量センサ８０の出力を利用した計量給湯制御を実行する。
【００６３】
そして、その後、ステップＳ7で流量センサ８０の計測値から見て設定給湯量に達したと判定されると同計量給湯制御を終了する。
【００６４】
なお、以上の場合において、必要に応じて上記電子タグ５０Ａの湯温情報から注出する湯の湯温の調節を行うことも可能である。その場合には、湯の出の際に速やかに湯温調節を行う方法として、例えば熱湯の貯留槽（保温槽）と水の貯留槽（給水槽）とそれらを混合する混合槽（温度調節槽）とを設け、必要とする湯温に応じて熱湯に混合する水の量を調節する構成が採用される。
【００６５】
また、以上の場合、電子タグ５０Ａは、当該用途物であるドリップコーヒーの製品番号確認用の識別タグを兼ねている。
【００６６】
このような構成によれば、必要な湯温、吐出条件等入力のために別途専用の電子タグを設ける必要がなくなり、低コストになる。
【００６７】
また、タグ情報送受信制御ユニット６０の方も、その入出力メモリ機能および送信機能を利用し、同様に自己の製品番号確認用の識別タグを兼用させることができる。
【００６８】
（最良の実施の形態２）
次に図９は、本願発明の最良の実施の形態２に係る電気ポットに使用されるカップラーメンのカップの構成を示している。
【００６９】
電気ポットは、上述のように所定の温度で「保温」中の場合にも、例えばコーヒーや紅茶を入れる場合、緑茶を入れる場合、カップラーメンをつくる場合では、それぞれ適した湯の温度が異なる。
【００７０】
従来の電気ポットでは、このような問題に対して、２〜３段階程度の専用の保温温度選択スイッチを設けて、ユーザーによるマニュアル的な対応が取られているにすぎない。
【００７１】
この最良の実施の形態は、このような事情に基いてなされたもので、特にカップラーメンをつくる場合に適した湯の温度と、そのカップ容量に応じた湯量をカップラーメン７３のカップ本体７３ａに設けた電子タグ５０を用いて上述した図１の電気ポット本体１側のマイコン制御ユニット３２部分に入力し、それに対応した適切な機能制御（湯温調節、給湯量調節）を行うようにしたことを特徴とするものである。
【００７２】
なお、この場合、上記電子タグ５０は、カップ本体７３ａの商品名（ブランド名）７３ｂが表示されている前面部とは反対側の背面部側に設けて、図１の電気ポット本体１側のタグ情報送受信制御ユニット６０と対応させやすいようにしている。
【００７３】
したがって、同ラーメンカップ７３を前述の図１のコーヒーカップ７１と同様に電気ポット本体１および湯注出口５ｄに対応させて置くと、それだけで上述した電気ポット本体１側のタグ情報送受信制御ユニット６０に対して適切に対応させることができ、記憶されている湯の温度情報、湯量情報をマイコン制御ユニット３２側に入力させることができる。
【００７４】
（最良の実施の形態３）
次に図１０は、本願発明の最良の実施の形態３に係る電気ポットにおいて使用される茶袋の構成を示している。
【００７５】
上述のように、電気ポットは所定の温度で「保温」中の場合にも、例えばコーヒーや紅茶を入れる場合と、緑茶を入れる場合とでは、それぞれ適した湯の温度が異なる。
【００７６】
従来の電気ポットでは、このような問題に対して、２〜３段階程度の専用の保温温度選択スイッチを設けて、ユーザーによるマニュアル的な対応が取られているにすぎない。
【００７７】
この最良の実施の形態は、このような事情に基いてなされたもので、特に図１０のような緑茶の茶袋７４の本体部前面７４ａに湯の温度を記憶させた電子タグ５０を設け、該電子タグ５０を用いて上述した図１の電気ポット本体１側のマイコン制御ユニット３２部に入力し、それに対応した適切な機能制御（湯温調節）を行うようにしたことを特徴とするものである。
【００７８】
なお、この場合、上記電子タグ５０は、上記茶袋７４の本体部の前面７４ａ側にシールＳを介して貼り付けることによって設ける。
【００７９】
そして、これを使用に際して上述した電気ポット本体１側のタグ情報送受信制御ユニット６０に対して対応させる（対向状態で近付ける）ことによって、記憶されている温度情報をマイコン制御ユニット３２に入力させる。
【００８０】
（最良の実施の形態４）
次に図１１は、本願発明の最良の実施の形態４に係る電気ポットにおいて使用されるティーパックの構成を示している。
【００８１】
上述のように、電気ポットは所定の温度で「保温」中の場合にも、例えばコーヒーや紅茶を入れる場合と、緑茶を入れる場合とでは、それぞれ適した湯の温度が異なる。
【００８２】
従来の電気ポットでは、このような問題に対して、２〜３段階程度の専用の保温温度選択スイッチを設けて、ユーザーによるマニュアル的な対応が取られているにすぎない。
【００８３】
この最良の実施の形態は、このような事情に基いてなされたもので、特に緑茶のティーパック７５のパッケージ本体部７５ａに湯の温度と湯量を記憶させた電子タグ５０を設け、該電子タグ５０を用いて上述した図１の電気ポット本体１側のマイコン制御ユニット３２部に入力し、それに対応した適切な機能制御（湯温調節）を行うようにしたことを特徴とするものである。
【００８４】
なお、この場合、上記電子タグ５０は、ティーパック７５のパッケージ本体部７５ａの前面側にシールＳを介して貼り付けることによって設けている。そして、これを使用に使用に際して上述した電気ポット本体１側のタグ情報送受信制御ユニット６０に対して対応させることによって、記憶されている温度情報をマイコン制御ユニット３２に入力させる。
【００８５】
なお、このようなティーパック７５の場合、その本体部７５ａ内に収納されているフィルタケースから紐が延び、紐の先端には方形のツマミ片が設けられている。したがって、同ツマミ片部分に電子タグ５０Ａを設けるようにすると、当該フィルタケースをパッケージ本体から出してカップに入れた状態で、電子タグ５０Ａの情報を本体側タグ情報送受信制御ユニット６０に読み込ませることができる。
【００８６】
また、紐部に付けることもできる。
【００８７】
（最良の実施の形態５）
次に図１２は、本願発明の最良の実施の形態５に係る電気ポットにおいて使用される水溶器の構成を示している。
【００８８】
上述のように、最近の電気ポットは、例えば湯沸し、カルキ抜き、通常保温、省エネ保温、保温温度選択、再沸騰などの各種の機能を備えて構成されている。
【００８９】
このような各種の機能は、先にも述べたように使用される水の種類やお湯の用途に応じて、適切に制御されることが好ましい。例えば「湯沸し」の場合、使用される水が水道水の場合とミネラルウォータの場合とでは「カルキ抜き」が必要か、必要でないかの相異がある。
【００９０】
従来の電気ポットでは、このような問題に対しては何らの対応が取られていない。
【００９１】
この最良の実施の形態は、このような事情に基いてなされたもので、ペットボトル等の使用される水が入った水溶器７６の本体部７６ａの前面に水の種類を記憶させた電子タグ５０を設け、該電子タグ５０を用いて図１の電気ポット本体１側のマイコン制御ユニット３２部に入力し、それに対応した適切な機能制御（湯沸し制御）を行うようにしたことを特徴とするものである。
【００９２】
この場合にも新たな水の使用に際して、同ペットボトル等の水溶器７６の本体部７６ａ前面側電子タグ５０を上述の電気ポット本体１側タグ情報送受信制御ユニット６０に対応させることによって同電子タグ５０に記憶させている水の種類（ミネラルウォータ）を示す情報をマイコン制御ユニット３２に入力させ、それに対応して湯沸し完了後、カルキ抜きを行うことなく、保温工程に移行させる。
【図面の簡単な説明】
【００９３】
【図１】本願発明の最良の実施の形態１に係る電気ポットの構成を示す断面図である。
【図２】同電気ポットの平面図である。
【図３】同電気ポットの対応する用途物の構成を示す斜視図である。
【図４】同用途物に設けられる電子タグの構成を示す平面図である。
【図５】同電子タグの構成を示す断面図である。
【図６】同電気ポットの制御回路図である。
【図７】同電気ポットの電子タグおよびタグ情報送受信制御ユニットの構成を示す制御回路図である。
【図８】同電気ポットの用途に応じた給湯量および吐出状態の制御内容を示すフローチャートである。
【図９】本願発明の最良の実施の形態２に係る電気ポットの対応するカップラーメンの構成を示す斜視図である。
【図１０】本願発明の最良の実施の形態３に係る電気ポットの対応する茶袋の構成を示す斜視図である。
【図１１】本願発明の最良の実施の形態４に係る電気ポットの対応するティーパックの構成を示す斜視図である。
【図１２】本願発明の最良の実施の形態５に係る電気ポットの対応する水溶器の構成を示す斜視図である。
【符号の説明】
【００９４】
１：電気ポット本体
２：蓋体
３：内容器
４Ａ：湯沸しヒータ
４Ｂ：保温ヒータ
５：給湯通路
５ｄ：湯注出口
３２：マイコン制御ユニット
４７：液晶表示部
５０，５０Ａ，５０Ｂ：電子タグ
６０：タグ情報送受信制御ユニット
６４：報知手段
７１：コーヒーカップ
７２：ドリップコーヒーのフィルタカラー
７３：カップラーメン
７４：茶袋
７５：ティーパック
７６：水溶器
８０：流量センサ
【図１】
2005177145.tif 000003
【図２】
2005177145.tif 000004
【図３】
2005177145.tif 000005
【図４】
2005177145.tif 000006
【図５】
2005177145.tif 000007
【図６】
2005177145.tif 000008
【図７】
2005177145.tif 000009
【図８】
2005177145.tif 000010
【図９】
2005177145.tif 000011
【図１０】
2005177145.tif 000012
【図１１】
2005177145.tif 000013
【図１２】
2005177145.tif 000014